(57)【要約】      （修正有）【課題】画像キャプチャモジュールが衝突により破損するのを防止する。【解決手段】第１のハウジングと、表示パネルと、画像キャプチャモジュールとを含む表示装置が提供される。第１のハウジングは、第１の表面と、当該第１の表面とは反対側の第２の表面とを有する。表示パネルは、第１の表面に設けられる。画像キャプチャモジュールは、第２のハウジングと、画像キャプチャユニットとを含む。第２のハウジングは、第１のハウジング上に取り付けられる。第２のハウジングは、第１の表面と第２の表面とを通過する開放部を有する。画像キャプチャユニットの２つの端部は、それぞれ、画像キャプチャモジュールが表示装置上に回転可能に設けられるように、開放部の内壁に回動可能に接続される。【選択図】図２
2006191637.tif 000002
【特許請求の範囲】
【請求項１】
第１の表面と当該第１の表面とは反対側の第２の表面とを有する第１のハウジングと、
上記第１の表面に設けられた表示パネルと、
画像キャプチャモジュールとを備え、
上記画像キャプチャモジュールは、
上記第１のハウジングに接続され、当該第１のハウジングを通過する開放部を有する第２のハウジングと、
当該画像キャプチャユニットが当該表示装置上に回転可能に設けられるように、上記開放部の内壁に回動可能に接続された画像キャプチャユニットとを備えること
を特徴とする表示装置。
【請求項２】
上記第２のハウジングは、シャシーを備え、
上記画像キャプチャユニットは、
第３のハウジングと、
上記第３のハウジングに設けられたレンズと、
上記第３のハウジングと上記レンズとが、上記第２のハウジングに対して相対的に、回転軸としての中心線に沿った当該回動軸の周囲を回転するように、当該第３のハウジングの第１の側面から突出して、上記シャシーと回転可能に噛合する回動軸とを備えること
を特徴とする請求項１記載の表示装置。
【請求項３】
上記第２のハウジングは、さらにベースを備え、
上記画像キャプチャユニットは、さらに、
上記第３のハウジングの第２の側面上に取り付けられたスリーブと、
一端が固定された上記ベースと噛合し、他端が上記スリーブに受けられた噛合片と、
上記スリーブに固定され、上記噛合片と対向しており、上記噛合片と互いに相補的であり、上記噛合片と選択的に噛合するように用いられるカムと、
上記カムの周囲に設けられ、上記スリーブに位置しているエラストマーとを備え、
上記スリーブ及び上記回動軸は、それぞれ、回転軸として用いられるように、上記第３のハウジングの２つの側面上に位置しており、
上記第３のハウジングが回転して上記スリーブが上記回転軸に沿って上記第１の位置に回転するように上記カムを移動させると、上記カムは、上記噛合片と噛合し、上記レンズは、上記第１の表面と略同一平面となり、
上記第３のハウジングが回転して上記スリーブが上記第１の位置から回転し始めるように上記カムを移動させると、上記カムは、上記エラストマーを圧縮するように上記噛合片を押し、圧縮された上記エラストマーは、第２の位置に向かって回転するように上記カムを促す弾性力を供給し、上記第３のハウジングが回転して上記スリーブが上記回転軸に沿って上記第２の位置に回転するように上記カムを移動させると、上記カムは、上記噛合片と噛合し、上記レンズは、上記第２の表面と略同一平面となること
を特徴とする請求項２記載の表示装置。
【請求項４】
上記エラストマーは、スプリング又は弾性片であること
を特徴とする請求項３記載の表示装置。
【請求項５】
上記第２のハウジングは、上カバーと、下カバーとを備え、
上記上カバー及び上記下カバーは、固定された上記ベースと、上記シャシーと、上記回動軸と、上記カムとを受けるために用いられる収容スペースを形成すること
を特徴とする請求項１記載の表示装置。
【請求項６】
上記第２のハウジングは、上記第１のハウジングの端部から突出しており、上記第１の表面よりも高いこと
を特徴とする請求項１記載の表示装置。
【請求項７】
上記表示パネルは、ポータブルコンピュータの表示パネルであること
を特徴とする請求項１記載の表示装置。
【請求項８】
第１の表面と当該第１の表面とは反対側の第２の表面とを有する第１のハウジングと、
上記第１の表面に設けられた表示パネルと、
上記第１のハウジングを通過する画像キャプチャモジュールとを備え、
上記画像キャプチャモジュールは、当該表示装置上に回転可能に設けられ、第１の位置と第２の位置とに選択的に位置する画像キャプチャユニットを備え、
上記画像キャプチャユニットの正面は、当該画像キャプチャユニットが上記第１の位置に回転するとき、上記第１の表面と同一平面となり、当該画像キャプチャユニットが上記第２の位置に回転するとき、上記第２の表面と同一平面となること
を特徴とする表示装置。
【請求項９】
上記画像キャプチャモジュールは、上記第１の表面と上記第２の表面とを通過する開放部を有し、上記第１のハウジング上に固定された第２のハウジングを備え、
上記画像キャプチャユニットは、上記開放部に位置し、当該画像キャプチャユニットの２つの端部は、それぞれ、当該画像キャプチャユニットが上記第２のハウジングに回転可能に設けられるように、上記開放部の内壁に回動可能に接続されていること
を特徴とする請求項８記載の表示装置。
【請求項１０】
上記第２のハウジングは、シャシーと、固定されたベースとを備え、
上記画像キャプチャユニットは、
第１の側面と当該第１の側面とは反対側の第２の側面とを有する第３のハウジングと、
上記第３のハウジング上に設けられ、上記画像キャプチャモジュールの正面に位置するレンズと、
上記第３のハウジングと上記レンズとが、上記第２のハウジングに対して相対的に、回転軸としての当該回動軸の周囲を回転するように、当該第３のハウジングから突出して、上記シャシーと回転可能に噛合する回動軸と、
上記第３のハウジングの上記第２の側面上に取り付けられたスリーブと、
一端が固定された上記ベースに噛合し、他端が上記スリーブに受けられた噛合片と、
上記スリーブに固定され、上記噛合片と対向しており、当該噛合片と選択的に噛合するように当該噛合片と互いに相補的であるカムと、
上記カムの周囲に設けられ、上記スリーブに位置しているエラストマーとを備え、
上記スリーブ及び上記回動軸は、それぞれ、上記回転軸として用いられるように、上記第３のハウジングの２つの側面上に位置しており、
上記第３のハウジングが回転して上記スリーブが上記回転軸に沿って上記第１の位置に回転するように上記カムを移動させると、上記カムは、上記噛合片と噛合し、上記レンズは、上記第１の表面と略同一平面となり、
上記第３のハウジングが回転して上記スリーブが上記第１の位置から回転し始めるように上記カムを移動させると、上記カムは、上記エラストマーを圧縮するように上記噛合片を押し、圧縮された上記エラストマーは、第２の位置に向かって回転するように上記カムを促す弾性力を供給し、
上記第３のハウジングが回転して上記スリーブが上記回転軸に沿って上記第２の位置に回転するように上記カムを移動させると、上記カムは、上記噛合片と噛合し、上記レンズは、上記第２の表面と略同一平面となること
を特徴とする請求項９記載の表示装置。
【請求項１１】
上記エラストマーは、スプリング又は弾性片であること
を特徴とする請求項１０記載の表示装置。
【請求項１２】
上記第２のハウジングは、上カバーと、下カバーとを備え、
上記上カバー及び上記下カバーは、固定された上記ベースと、上記シャシーと、上記回動軸と、上記カムとを受けるために用いられる収容スペースを形成すること
を特徴とする請求項８記載の表示装置。
【請求項１３】
上記第２のハウジングは、上記第１のハウジングの端部から突出しており、上記第１の表面よりも高いこと
を特徴とする請求項８記載の表示装置。
【請求項１４】
上記表示パネルは、ポータブルコンピュータの表示パネルであること
を特徴とする請求項８記載の表示装置。
【請求項１５】
第１の表面と当該第１の表面とは反対側の第２の表面とを有する第１のハウジングと、上記第１の表面に設けられた表示パネルとを備えた表示装置に設けられた画像キャプチャモジュールであって、
上記第１のハウジングを通過する開放部を有する第２のハウジングと、
画像キャプチャユニットとを備え、
上記画像キャプチャユニットは、
第３のハウジングと、
上記第３のハウジング上に設けられたレンズと、
上記第３のハウジングと上記レンズとが、上記第２のハウジングに対して相対的に、回転軸としての当該回動軸の周囲を回転するように、当該第３のハウジングの第１の側面から突出して、上記第２のハウジングと回転可能に噛合する回動軸とを備えること
を特徴とする画像キャプチャモジュール。
【請求項１６】
上記第２のハウジングは、さらに、上記回動軸を受けるように上記第３のハウジングの上記第１の側面と対向するシャシーを備えること
を特徴とする請求項１５記載の画像キャプチャモジュール。
【請求項１７】
上記第２のハウジングは、さらに固定されたベースを備え、
上記画像キャプチャユニットは、さらに、
上記第３のハウジングの第２の側面上に取り付けられたスリーブと、
一端が固定された上記ベースと噛合し、他端が上記スリーブに受けられた噛合片と、
上記スリーブに固定され、上記噛合片と対向しており、上記噛合片と互いに相補的であり、上記噛合片と選択的に噛合するように用いられるカムと、
上記カムの周囲に設けられ、上記スリーブに位置しているエラストマーとを備え、
上記スリーブ及び上記回動軸は、それぞれ、回転軸として用いられるように、上記第３のハウジングの２つの側面上に位置しており、
上記第３のハウジングが回転して上記スリーブが上記回転軸に沿って上記第１の位置に回転するように上記カムを移動させると、上記カムは、上記噛合片と噛合し、上記レンズは、上記第１の表面と略同一平面となり、
上記第３のハウジングが回転して上記スリーブが上記第１の位置から回転し始めるように上記カムを移動させると、上記カムは、上記エラストマーを圧縮するように上記噛合片を押し、圧縮された上記エラストマーは、第２の位置に向かって回転するように上記カムを促す弾性力を供給し、
上記第３のハウジングが回転して上記スリーブが上記回転軸に沿って上記第２の位置に回転するように上記カムを移動させると、上記カムは、上記噛合片と噛合し、上記レンズは、上記第２の表面と略同一平面となること
を特徴とする請求項１５記載の画像キャプチャモジュール。
【請求項１８】
上記エラストマーは、スプリング又は弾性片であること
を特徴とする請求項１６記載の画像キャプチャモジュール。
【請求項１９】
上記第２のハウジングは、上カバーと、下カバーとを備え、
上記上カバー及び上記下カバーは、固定された上記ベースと、上記シャシーと、上記回動軸と、上記カムとを受けるために用いられる収容スペースを形成すること
を特徴とする請求項１５記載の画像キャプチャモジュール。
【請求項２０】
上記第２のハウジングは、上記第１のハウジングの端部から突出しており、上記第１の表面よりも高いこと
を特徴とする請求項１５記載の画像キャプチャモジュール。
【請求項２１】
上記表示パネルは、ポータブルコンピュータの表示パネルであること
を特徴とする請求項１５記載の画像キャプチャモジュール。
【発明の詳細な説明】
【技術分野】
【０００１】
本発明は、表示装置に関し、特に、回転可能な画像キャプチャモジュールを備えた表示装置に関する。この特許出願は、２００５年１月７日に出願された台湾特許出願（出願番号０９４１００５６２）の利益を享受するものであり、その内容は、引用することによってここに組み込まれる。
【背景技術】
【０００２】
携帯型電子機器、３Ｇブロードバンド通信、及び家庭用機器のブームにともなって、さらには、ダイナミックビデオキャプチャやオンラインビデオ等のマルチメディア製品の複合的なアプリケーションによってともなわれ、著しいマーケットのポテンシャルが予想される。
【０００３】
米国特許第６，６９７，０４７号明細書によれば、付随レンズモジュールを備えたポータブルコンピュータが提案されている。折り畳まれないレンズモジュールを備えた従来のポータブルコンピュータの斜視図が示された図１(Ａ)を参照する。従来のポータブルコンピュータ１０は、少なくとも、本体１１と、上カバー１２と、表示パネル１３と、レンズモジュール２０とを含む。上カバー１２は、本体１１に回動可能に接続され、表示パネル１３は、上カバー１２の上に設けられる。レンズモジュール２０は、ハウジング２１と、レンズ（ＣＭＯＳカメラ）２２とを含む。レンズモジュール２０は、上カバー１２に回転可能に設けられ、表示パネル１３の上部に配置される。使用する場合には、レンズ２２は、必要な画像を得る適切な角度に調整するように回転可能とされる。使用しない場合には、レンズ２２は、図１(Ａ)に示すように、レンズ２０を保護するために、表示パネル１３と同一平面上となるように回転する。レンズモジュールをポータブルコンピュータに組み付けることにより、当該ポータブルコンピュータは、より軽くなり、手軽で便利となる。例えば、音声と画像は、テレビ会議においていたる所で送信されて伝えられる。
【０００４】
しかしながら、従来のポータブルコンピュータのレンズモジュールは、上カバーの端部に設けられることから、衝突して破損する影響が大きい。折り畳んだときの図１(Ａ)のポータブルコンピュータの正面図が示された図１(Ｂ)を参照する。ユーザが上カバー１２を開閉した場合には、レンズモジュール２０は、非常に接触又は衝突しやすく、不要にひっくり返る事態を招来する。また、ユーザが上カバー１２の一端を保持して当該上カバー１２を開けた場合には、レンズモジュール２０は、やはり、非常に接触してひっくり返りやすくなる。同様に、上カバー１２が開閉されるのが問題ではなく、ユーザが不注意にレンズモジュール２０に接触したり向きを変えたりするかもしれないのが問題である。その結果、レンズモジュール２０は、弛緩したり故障したりすることになり、当該レンズモジュール２０における機械的部材の寿命を減少させるであろう。
【発明の開示】
【課題を解決するための手段】
【０００５】
したがって、本発明の目的は、画像キャプチャモジュールがひっくり返りや衝突に起因する破損を防止するために保護ハウジングを有する表示装置を提供することである。
【０００６】
本発明の具体例によれば、表示装置が提供される。表示装置の画像キャプチャモジュールは、２段階回転式の設計が採用され、使用の際のユーザの便宜のために、当該画像キャプチャモジュールをいくつかの所定の角度及び位置で固定されるのを可能とする。
【０００７】
本発明の他の具体例によれば、第１のハウジングと、表示パネルと、画像キャプチャモジュールとを含む表示装置が提供される。第１のハウジングは、第１の表面と、当該第１の表面とは反対側の第２の表面とを有する。表示パネルは、第１の表面に設けられる。画像キャプチャモジュールは、第２のハウジングと、画像キャプチャユニットとを含む。第２のハウジングは、第１のハウジング上に取り付けられる。第２のハウジングは、第１の表面と第２の表面とを通過する開放部を有する。画像キャプチャユニットの２つの端部は、それぞれ、画像キャプチャモジュールが第２のハウジングに回転可能に設けられるように、開放部の内壁に回動可能に接続される。
【０００８】
本発明のさらに他の目的によれば、第１のハウジングと、表示パネルと、画像キャプチャモジュールとを含む表示装置が提供される。第１のハウジングは、第１の表面と、当該第１の表面とは反対側の第２の表面とを有する。表示パネルは、第１の表面に設けられる。第１の表面と第２の表面とを通過する画像キャプチャモジュールは、第２のハウジングと、画像キャプチャユニットとを含む。画像キャプチャユニットは、第１の位置と第２の位置とに選択的に位置するように、表示パネル上に回転可能に設けられる。画像キャプチャユニットが第１の位置に回転するとき、当該画像キャプチャユニットの正面は、第１の表面と同一平面となる。画像キャプチャユニットが第２の位置に回転するとき、当該画像キャプチャユニットの正面は、表示パネルと同一平面となる。
【０００９】
本発明の他の目的、特徴、及び利点は、望ましいものの限定されることはない具体例についての以下の詳細な記述から明らかとなるであろう。以下の記述は、添付した図面を参照してなされる。
【発明を実施するための最良の形態】
【００１０】
本発明の主な概念は、保護ハウジングのデザインが、モジュールがひっくり返りや衝突に起因して破損するのを防止するような回転可能な画像キャプチャモジュールを有する表示装置を提供することである。画像キャプチャモジュールは、第２のハウジングと、画像キャプチャユニットとを含む。第２のハウジングは、表示装置の第１のハウジング上に取り付けられる。第２のハウジングは、開放部を有する。画像キャプチャユニットの２つの端部は、それぞれ、当該画像キャプチャユニットが表示装置に回転可能に設けられるように、開放部の内壁に回動可能に接続される。
【００１１】
本発明の具体例は、使用の際のユーザの便宜のために、当該画像キャプチャモジュールをいくつかの所定の角度及び位置で固定されるのを可能とする２段階位置設計の回転可能な画像キャプチャモジュールを有する表示装置を提供する。本発明の画像キャプチャモジュールは、第１の位置と第２の位置とに選択的に位置するように、表示装置上に回転可能に設けられる。画像キャプチャモジュールが第１の位置に回転するとき、当該画像キャプチャモジュールの正面は、第１の表面と同一平面となる。画像キャプチャモジュールが第２の位置に回転するとき、当該画像キャプチャモジュールの正面は、表示パネルと同一平面となる。
【００１２】
本発明は、以下のポータブルコンピュータによって例示される。しかしながら、本具体例は、単に、本発明の精神のもとでの具体化に関する例示であり、本発明の保護の範囲を制限するものではない。
【００１３】
本発明の望ましい具体例による表示装置を備えたポータブルコンピュータの斜視図が示された図２を参照する。本具体例の表示装置は、ポータブルコンピュータに設けられた液晶ディスプレイ（ＬＣＤ）パネルであり得る。本具体例の表示装置１００は、第１のハウジング１１０と、表示パネル（図示していない）と、画像キャプチャモジュール１２０とを含む。第１のハウジング１１０は、第１の表面（図示していない）と、当該第１の表面とは反対側の第２の表面１１２とを有する。表示パネルは、第１の表面上に設けられる。画像キャプチャモジュール１２０は、第２のハウジング１２２と、画像キャプチャユニット１３０とを含む。第２のハウジング１２２は、第１のハウジング１１０上に取り付けられる。第２のハウジング１２２は、ユーザが第１のハウジングを開閉する際に偶然に画像キャプチャユニットに接触せず、不要な回転が回避され、機械的部材の寿命が長引くように、第１のハウジング１１０の端部から突出しており、第１の表面１１２よりも高くするのが望ましい。
【００１４】
図３(Ａ)〜図３(Ｂ)を参照する。図３(Ａ)は、本発明の望ましい具体例による表示装置の画像キャプチャモジュールの平面図である。図３(Ｂ)は、本発明の望ましい具体例による表示装置の画像キャプチャモジュールの側面図である。図３(Ｃ)は、本発明の望ましい具体例による表示装置の画像キャプチャモジュールの底面図である。画像キャプチャモジュール１２０において、第２のハウジング１２２は、第１の表面と第２の表面と（図示していない）を通過する開放部１２３を有する。画像キャプチャユニット１３０の２つの端部は、それぞれ、開放部１２３の壁に回動可能に接続される。
【００１５】
本発明の望ましい具体例による表示装置の画像キャプチャモジュールの分解組立図が示された図４を参照する。第２のハウジング１２２は、上カバー１２２ａと、下カバー１２２ｂとを有する。２つのカバー１２２ａ，１２２ｂは、開放部１２３を共有する。上カバー１２２ａと下カバー１２２ｂは、収容スペースを形成する。第２のハウジング１２２は、シャシー１２４と、固定ベース１２６とを含む。
【００１６】
画像キャプチャユニット１３０は、第３のハウジング１３２と、レンズ１３４と、回動軸１３６と、多段階回転式アセンブリ１４０とを含む。第３のハウジング１３２は、第１の側面１３２ａと、第２の側面１３２ｂとを有する。レンズ１３４は、第３のハウジング１３２上に設けられる。回動軸１３６は、第３のハウジング１３２とレンズ１３４とが、第２のハウジング１２２に対して相対的に、回転軸Ｘとしての中心線に沿った当該回動軸１３６の周囲を回転するように、第３のハウジング１３２の第１の側面１３２ａから突出して、シャシー１２４と回転可能に噛合している。画像キャプチャユニットを異なる位置に回転させることにより、異なる角度の画像をとることができる。
【００１７】
図４に示すように、多段階回転式アセンブリ１４０は、第３のハウジング１３２の第２の側面１３２ｂ上に設けられる。例えば、多段階回転式アセンブリ１４０は、窪んだスピンドル１３７上に設けられるように回転軸Ｘの周囲を回転することができる。窪んだスピンドル１３７は、第３のハウジング１３２の第２の側面１３２ｂ上に取り付けられる。
【００１８】
図５(Ａ)は、図４の画像キャプチャモジュールの多段階回転式アセンブリの斜視図である。図５(Ｂ)は、図５(Ａ)の画像キャプチャモジュールの多段階回転式アセンブリの分解組立図である。図５(Ａ)及び図５(Ｂ)の双方を参照すると、スリーブ１４１は、第３のハウジングの第２の側面１３２ｂ上に取り付けられる。スリーブ１４１及び回動軸１３６は、それぞれ、回転軸として用いられるように、第３のハウジング１３２の２つの側面上に位置している（図４に示すように）。噛合片１４２の一端１４２ａは、固定ベース（図４において符号１２６と付けられた）に噛合し、当該噛合片１４２の他端１４２ｂは、スリーブ１４１に受けられる。カム１４３は、スリーブ１４１に固定されており、噛合片１４２と対向している。カム１４３は、噛合片１４２と選択的に噛合するように当該噛合片１４２と互いに相補的である。例えばスプリング１４４や弾性片のようなエラストマーは、カム１４３の周囲に設けられ、スリーブ１４１に位置している。
【００１９】
図５(Ｂ)及び図６(Ａ)の双方を参照する。図６(Ａ)は、第１の位置にあるときの本具体例の表示装置の画像キャプチャユニットの斜視図である。第３のハウジング１３２が回転すると、スリーブ１４１は、回転軸Ｘに沿って第１の位置に回転するようにカム１４３を移動させ、カム１４３は、レンズ１３４が第１の表面と同一平面となるように、噛合片１４２と噛合する。図５(Ｂ)及び図６(Ｂ)の双方を参照する。図６(Ｂ)は、第１の位置から第２の位置へと回転しているときの本発明の望ましい具体例の表示装置の画像キャプチャユニットの斜視図である。第１の位置から回転し始めるように第３のハウジング１３２がカム１４３を駆動させると、エラストマー１４４を圧縮するようにカム１４３と噛合片１４２との間に間隙が生じ、その間、カム１４３は、圧縮されたエラストマー１４４によって第２の位置に向かって回転するように促される。図５(Ｂ)及び図６(Ｃ)の双方を参照する。図６(Ｃ)は、第２の位置にあるときの本発明の望ましい具体例の表示装置の画像キャプチャユニットの斜視図である。回転軸Ｘに沿って第２の位置に回転するように第３のハウジング１３２がカム１４３を駆動させると、カム１４３は、レンズ１４３が第２の表面１１２と同一平面となるように、噛合片１４２と再度噛合する。したがって、画像キャプチャユニットは、第１の位置及び第２の位置という最も一般的に用いられる位置に位置することができる。そのような２段階位置設計は、使用の際のユーザの便宜のために、画像キャプチャモジュールをいくつかの所定の角度及び位置で固定されるのを可能とする。
【００２０】
上述した本発明の具体例として開示された表示装置及び画像キャプチャモジュールは、当該表示装置が開閉される際の画像キャプチャユニットの不要なひっくり返りや衝突を防止する保護ハウジングを有する。また、２段階位置設計は、使用の際のユーザの便宜のために、画像キャプチャモジュールをいくつかの所定の角度及び位置で固定されるのを可能とする。
【００２１】
本発明が、一例を介して、また望ましい具体例として記述されていた一方で、本発明は、これに限定されるものではないことは理解されるべきである。これに対して、様々な変形例並びに同様の配置及び処理を包含するように意図されるべきである。したがって、添付した特許請求の範囲は、そのような変形例並びに同様の配置及び処理を全て包含するように、最も広い解釈として与えられるべきである。
【図面の簡単な説明】
【００２２】
【図１（Ａ）】図１(Ａ)は、折り畳まれないレンズモジュールを備えた従来のポータブルコンピュータの斜視図である。
【図１（Ｂ）】図１(Ｂ)は、折り畳んだときの図１(Ａ)のポータブルコンピュータの正面図である。
【図２】図２は、本発明の望ましい具体例による表示装置を備えたポータブルコンピュータの斜視図である。
【図３（Ａ）】図３(Ａ)は、本発明の望ましい具体例による表示装置の画像キャプチャモジュールの平面図である。
【図３（Ｂ）】図３(Ｂ)は、本発明の望ましい具体例による表示装置の画像キャプチャモジュールの側面図である。
【図３（Ｃ）】図３(Ｃ)は、本発明の望ましい具体例による表示装置の画像キャプチャモジュールの底面図である。
【図４】図４は、本発明の望ましい具体例による表示装置の画像キャプチャモジュールの分解組立図である。
【図５（Ａ）】図５(Ａ)は、図４の画像キャプチャモジュールの多段階回転式アセンブリの斜視図である。
【図５（Ｂ）】図５(Ｂ)は、図５(Ａ)の画像キャプチャモジュールの多段階回転式アセンブリの分解組立図である。
【図６（Ａ）】図６(Ａ)は、第１の位置にあるときの本具体例の表示装置の画像キャプチャユニットの斜視図である。
【図６（Ｂ）】図６(Ｂ)は、第１の位置から第２の位置へと回転しているときの本発明の望ましい具体例の表示装置の画像キャプチャユニットの斜視図である。
【図６（Ｃ）】図６(Ｃ)は、第２の位置にあるときの本発明の望ましい具体例の表示装置の画像キャプチャユニットの斜視図である。
【図１（Ａ）】
2006191637.tif 000003
【図１（Ｂ）】
2006191637.tif 000004
【図２】
2006191637.tif 000005
【図３（Ａ）】
2006191637.tif 000006
【図３（Ｂ）】
2006191637.tif 000007
【図３（Ｃ）】
2006191637.tif 000008
【図４】
2006191637.tif 000009
【図５（Ａ）】
2006191637.tif 000010
【図５（Ｂ）】
2006191637.tif 000011
【図６（Ａ）】
2006191637.tif 000012
【図６（Ｂ）】
2006191637.tif 000013
【図６（Ｃ）】
2006191637.tif 000014
【外国語明細書】
Title of Invention
DISPLAY WITH ROTATABLE IMAGE CAPTURING MODULE
Field of the Invention
The invention relates to a display, and more particularly to a display with rotatable image capturing module. This application claims the benefit of Taiwan Application Serial No. 094100562, filed January 07, 2005, the subject matter of which is incorporated herein by reference.
Description of the Related Art
Along with the booming of portable electronic products, 3G broadband communication and home appliances, and further accompanied by the versatile application of multi-media products such as dynamic video capturing and on-line video, a gorgeous market potential is expected.
According to US pattern number 6,697,047, a portable computer equipped with additional lens module has been developed.  Referring to FIG. 1(A), a perspective diagram of a conventional portable computer with a lens module when unfolded is shown.  Conventional portable computer 10 at least includes a body 11, an upper cover 12, a display panel 13 and a lens module 20.  The upper cover 12 is pivotally connected to the body 11, and the display panel 13 is disposed on the upper cover 12.  The lens module 20 includes a housing 21 and a lens (CMOS camera) 22.  The lens module 20 is rotatably disposed on the upper cover 12 and positioned at the top of the display panel 13.  When in use, the lens 22 is rotatable to adjust a suitable angle of capturing the desired image.  When not in use, the lens 22 rotates to be coplanar with the display panel 13 to protect the lens 20 as shown in FIG. 1(A).  With the lens module being in-built in the portable computer, the portable computer can be more light, handy and convenientle.  For example, the voice and images are transmitted and communicated in a video conference everywhere.
However, the lens module of a conventional portable computer is disposed on the edge of the upper cover and is susceptible to be collided and damaged.  Referring to FIG. 1(B), a front view of the portable computer of FIG. 1(A) when folded is shown.  When the user opens or closes the upper cover 12, the lens module 20 is very likely to be touched or collided, and results in unnecessary tipping over.  When the user holds one end of the upper cover 12 and opens the upper cover 12, the lens module 20 is still very likely to be touched and tipped over.  Similarly, no matter the upper cover 12 is being opened or closed, the user may carelessly touch or turn the lens module 20.  Consequently, the lens module 20 will become loose or out of order, reducing the lifespan of the mechanic components in the lens module 20.
SUMMARY OF THE INVENTION
It is therefore the object of the invention to provide a display whose image capturing module has a protection housing to prevent the module from being damaged due to tipping over or collision.
According to an embodiment of the invention, a display is provided.  The image capturing module of the display adopts a two-stage rotary design, enabling the image capturing module to be fixed at several predetermined angles and positions for the user's convenience of use.
According to another embodiment of the invention, a display including a first housing, a display panel and an image capturing module is provided.  The first housing has a first surface and a second surface opposite to the first surface.  The display panel is disposed on the first surface.  The image capturing module includes a second housing and an image capturing unit. The second housing is mounted on the first housing.  The second housing has an opening, which passes through the first surface and the second surface.  The two ends of the image capturing unit are respectively pivotally connected to the innerwall of the opening so that the image capturing module is rotatably disposed on the second housing.
According to yet another object of the invention, a display including a first housing, a display panel and an image capturing module is provided.  The first housing has a first surface and a second surface opposite to the first surface.  The display panel is disposed on the first surface.  The image capturing module, which passes through the first surface and the second surface, includes a second housing and an image capturing unit.  The image capturing unit is rotatably disposed on the display panel to be selectively positioned at a first position and a second position.  When the image capturing unit rotates to the first position, a front surface of the image capturing unit is coplanar with the first surface.  When the image capturing unit rotates to a second position, the front surface of the image capturing unit is coplanar with the display panel.
Other objects, features, and advantages of the invention will become apparent from the following detailed description of the preferred but non-limiting embodiments. The following description is made with reference to the accompanying drawings.
DETAILED DESCRIPTION OF PREFERRED EMBODIMENTs
The main concept of the invention is to provide a display having rotatable image capturing module whose design of protection housing prevents the module from being damaged due to tipping over or collision.  The image capturing module includes a second housing and an image capturing unit.  The second housing is mounted on a first housing of the display.  The second housing has an opening.  The two ends of the image capturing unit are respectively pivotally connected to the innerwall of the opening so that the image capturing unit is rotatably disposed in the display.
The embodimentof the invention  provides a display having rotatable image capturing module whose two-stage positioning design enables the image capturing module to be fixed at several predetermined angles and positions for the user's convenience of use.  The image capturing module of the invention is rotatably disposed on the display to be selectively positioned a first position and a second position.  When the image capturing module is rotated to the first position, the front surface the image capturing module is coplanar with the first surface.  When the image capturing module is rotated to a second position, the front surface of the image capturing module is coplanar with the display panel.
The invention is exemplified by a portable computer below.  However, the present embodiment is merely an example of embodiment under the spirit of the invention and will not limit the scope of protection of the invention.
Referring to FIG. 2, a perspective diagram of a portable computer with display according to a preferred embodiment of the invention is shown.  The display of the present embodiment can be a liquid crystal display (LCD) panel disposed in a portable computer.  The display 100 of the present embodiment includes a first housing 110, a display panel (not shown in the diagram) and an image capturing module 120.  The first housing 110 has a first surface (not shown in the diagram) and a second surface 112 opposite to the first surface.  The display panel is disposed on the first surface.  The image capturing module 120 includes a second housing 122 and an image capturing unit 130.  The second housing 122 is mounted on the first housing 110.  Preferably, the second housing 122 protrudes from the edge of the first housing 110 and is higher than the first surface 112, so that the user will not touch the image capturing unit incidentally when opening or closing the first housing, and that unnecessary rotations are avoided and the lifespan of the mechanical components are prolonged.
Referring to FIG. 3(A)~3(B).  FIG. 3(A) is a top view of an image capturing module of a display according to the preferred embodiment of the invention.  FIG. 3(B) a side view of an image capturing module of a display according to the preferred embodiment of the invention.  FIG. 3(C) is a bottom view of an image capturing module of a display according to the preferred embodiment of the invention.  In the image capturing module 120, the second housing 122 has an opening 123, passing through the first surface and the second surface (not shown in the diagram).  The two ends of the image capturing unit 130 are respectively pivotally connected to the wall of the opening 123.
Referring to FIG. 4, an exploded diagram of an image capturing module of a display according to the preferred embodiment of the invention is shown.  The second housing 122 has an upper cover 122a and a lower cover 122b.  The two covers 122a and 122b sharing the opening 123.  The upper cover 122a and the lower cover 122b form an accommodation space.  The second housing 122 includes a chassis 124 and a fixing base 126.
The image capturing unit 130 includes a third housing 132, a lens 134, a pivot 136, and a multi-stage rotary assembly 140.  The third housing 132 has a first side 132a and a second side 132b.  The lens 134 is disposed on the third housing 132.  The pivot 136 protrudes from a first side 132a of the third housing 132 and is rotatably engaged with the chassis 124, so that the third housing 132 and the lens 134 are rotated relatively to the second housing 122 and rotated around the pivot 136 and its center line as a rotationrotation axis X.  By rotating the image capturing unit to different positions, images of different angles can be fetched.
As shown in FIG. 4, the multi-stage rotary assembly 140 is rotatably disposed on the second side 132b of the third housing 132.  For example, the multi-stage rotary assembly 140 can be rotate around the rotationrotation axis X to be disposed on the hollowed spindle 137.  The hollowed spindle 137 is mounted on the second side 132b of the third housing 132.
FIG. 5(A) is a perspective diagram of a multi-stage rotary assembly of the image capturing module of FIG. 4.  FIG. 5(B) is an exploded diagram of a multi-stage rotary assembly of the image capturing module of FIG. 5(A).  Referring to both FIG. 5(A) and FIG. 5(B), the sleeve 141 is mounted on the second side 132b of the third housing.  The sleeve 141 and the pivot 136 are respectively positioned on the two sides of the third housing 132 to be used as a rotationrotation axis (shown in FIG. 4).  The one end 142a of the engaging piece 142 is engaged with the fixing base (labeled 126 in FIG. 4), and another end 142b engaging piece 142 is received in the sleeve 141.  The cam 143 is fixed in the sleeve 141 and is opposite to the engaging piece 142.  The cam 143 is complementary with the engaging piece 142 to be selectively engaged with the engaging piece 142.  The elastomer, such as a spring 144 or an elastic piece for instance, is disposed around the cam 143 and positioned in the sleeve 141.
Referring to both FIG. 5(B) and 6(A).  FIG. 6(A) is a perspective diagram of an image capturing unit of the display of the present embodiment when at a first position.  When the third housing 132 is rotated, the sleeve 141 moves the cam 143 to rotate along the rotationrotation axis X to the first position, and the cam 143 is engaged with the engaging piece 142 so that the lens 134 is coplanar with the first surface.  Referring to both FIG. 5(B) and 6(B).  FIG. 6(B) is a perspective diagram of an image capturing unit of the display of the preferred embodiment of the invention when rotated to a second position from the first position.  When the third housing 132 drives the cam 143 to rotate and depart from the first position, a gap is generated between the cam 143 and the engaging piece 142 so as to compress the elastomer 144, meanwhile the cam 143 is urged to be rotated towards a second position by the compressed elastomer 144.  Referring to both FIG. 5(B) and 6(C), FIG. 6(C) is a perspective diagram of image capturing unit of the display of the preferred embodiment of the invention when at a second position.  When the third housing 132 drives the cam 143 to be rotated along the rotationrotation axis X to the second position, the cam 143 is engaged with the engaging piece 142 again so that the lens 134 is coplanar with the second surface 112.  Thus, the image capturing unit can be positioned at the most commonly used positions: the first position and the second position.  Such two-stage positioning design enables the image capturing module to be fixed at several predetermined angles and positions for the user's convenience of use.
The display and the image capturing module thereof disclosed in the above embodiment of the invention has a protection housing to prevent the image capturing unit from unnecessary tipping over and collision when the display is opened or closed. Besides, the two-stage positioning design enables the image capturing module to be fixed at several predetermined angles and positions for the user's convenience of use.
While the invention has been described by way of example and in terms of a preferred embodiment, it is understood that the invention is not limited thereto. On the contrary, it is intended to cover various modifications and similar arrangements and procedures, and the scope of the appended claims therefore should be accorded the broadest interpretation so as to encompass all such modifications and similar arrangements and procedures.
Brief Description of Drawings
FIG. 1(A) is a perspective diagram of a conventional portable computer with a lens module when unfolded.
FIG. 1(B) is a front view of the portable computer of FIG. 1(A) when folded.
FIG. 2 is a perspective diagram of a portable computer with display according to a preferred embodiment of the invention.
FIG. 3(A) is a top view of an image capturing module of a display according to the preferred embodiment of the invention.
FIG. 3(B) is a side view of an image capturing module of a display according to the preferred embodiment of the invention.
FIG. 3(C) is a bottom view of an image capturing module of a display according to the preferred embodiment of the invention.
FIG. 4 is an exploded diagram of an image capturing module of a display according to the preferred embodiment of the invention.
FIG. 5(A) is a perspective diagram of a multi-stage rotary assembly of the image capturing module of FIG. 4.
FIG. 5(B) is an exploded diagram of a multi-stage rotary assembly of the image capturing module of FIG. 5(A).
FIG. 6(A) is a perspective diagram of an image capturing unit of the display of the present embodiment when at a first position.
FIG. 6(B) is a perspective diagram of an image capturing unit of the display of the preferred embodiment of the invention when rotated to a second position from the first position.
FIG. 6(C) is a perspective diagram of image capturing unit of the display of the preferred embodiment of the invention when at a second position.
1.    A display, comprising:
a first housing having a first surface and a second surface opposite to the first surface;
a display panel embedded on the first surface; and
an image capturing module, comprising:
a second housing connected to  the first housing, wherein the second housing has an opening, which passes through the first housing; and
an image capturing unit pivotally connected to an inner wall of the opening so that the image capturing unit is rotatably disposed on the display.
2.    The display according to claim 1, wherein the second housing comprises a chassis, and the image capturing unit comprises:
a third housing;
a lens disposed in the third housing; and
a pivot protruding from a first side of the third housing and rotatably engaging with the chassis so that the third housing and the lens are rotated relatively to the second housing and rotated around on the pivot with its center line as a rotation axis.
3.    The display according to claim 2, wherein the second housing further comprises a base, and the image capturing unit further comprises:
a sleeve mounted on a second side of the third housing, the sleeve and the pivot respectively positioned on the two sides of the third housing to be used as the rotationrotation axis;
a engaging piece, whose one end is engaged with the fixing base and another end is received in the sleeve;
a cam fixed in the sleeve and opposite to the engaging piece, wherein the cam is complementary to the engaging piece and used for being selectively engaged with the engaging piece; and
an elastomer disposed around the cam and positioned in the sleeve;
wherein when the third housing is rotated and the sleeve moves the cam to rotate around the rotationrotation axis to a first position , the cam is engaged with the engaging piece, and the lens is substantially coplanar with the first surface;
wherein when the third housing is rotated and the sleeve moves the cam to rotate and depart from the first position, the cam pushes the engaging piece so as to compress the elastomer, the compressed elastomer provides an elastic force to urge the cam to rotate towards a second position;
wherein when the third housing is rotated and the sleeve moves the cam to rotated around the rotationrotation axis to the second position, the cam is engaged with the engaging piece, and the lens is substantially coplanar with the second surface.
4.    The display according to claim 3, wherein the elastomer is a spring or an elastic piece.
5.    The display according to claim 1, wherein the second housing comprises an upper cover and a lower cover, the upper cover and the lower cover form an accommodation space used for receiving the fixing base, the chassis, the pivot and the cam.
6.    The display according to claim 1, wherein the second housing protrudes from an edge of the first housing and is higher than the first surface.
7.    The display according to claim 1, wherein the display panel is a display panel of a portable computer.
8.    A display, comprising:
a first housing having a first surface and a second surface opposite to the first surface;
a display panel embedded on the first surface; and
an image capturing module passes through the first housing, the image capturing module comprising:
an image capturing unit rotatably disposed on the display and selectively positioned at a first position and a second position;
wherein a front surface of the image capturing unit is coplanar with the first surface when the image capturing unit is rotated to the first position, and the front surface of the image capturing unit is coplanar with the second surface when the image capturing unit is rotated to a second position.
9.    The display according to claim 8, wherein the image capturing module comprises:
a second fixed on the first housing, wherein the second housing has an opening, which passes through the first surface and the second surface;
the image capturing unit positioned in the opening, the two ends of the image capturing unit respectively pivotally connected to a innerwall of the opening so that the image capturing unit is rotatably disposed on the second housing.
10.    The display according to claim 9, wherein the second housing comprises a chassis and a fixing base, and the image capturing unit comprises:
a third housing having a first side and a second side opposite to the first side;
a lens disposed on the third housing and positioned on the front surface of the image capturing module;
a pivot protruding from the first side of the third housing and rotatably engaged with the chassis so that the third housing and the lens are rotated around the pivot as a rotationrotation axis and rotated relatively to the second housing;
a sleeve mounted on the second side of the third housing, the sleeve and the pivot respectively positioned on the two sides of the third housing to be used as the rotationrotation axis;
a engaging piece, whose one end is engaged with the fixing base and another end is received in the sleeve;
a cam fixed in the sleeve and opposite to the engaging piece, wherein the cam is complementary to the engaging piece and used for being selectively engaged with the engaging piece; and
an elastomer disposed around the cam and positioned in the sleeve;
wherein when the third housing is rotated and the sleeve moves the cam to rotate around the rotationrotation axis to a first position, the cam is engaged with the engaging piece, and the lens is substantially coplanar with the first surface;
wherein when the third housing is rotated and the sleeve moves the cam to rotat and depart from the first position, the cam pushes the engaging piece so as to compress the elastomer, the compressed elastomer provides an elastic force to urge the cam to rotate towards a second position;
wherein when the third housing is rotated and the sleeve moves the cam to rotated around the rotationrotation axis to the second position, the cam is engaged with the engaging piece so that the lens is substantially coplanar with the second surface.
11.    The display according to claim 10, wherein the elastomer is a spring or an elastic piece.
12.    The display according to claim 8, wherein the second housing, comprises an upper cover and a lower cover, the upper cover and the lower cover form an accommodation space used for receiving the fixing base, the chassis, the pivot and the cam.
13.    The display according to claim 8, wherein the second housing protrudes from an edge of the first housing and is higher than the first surface.
14.    The display according to claim 8, wherein the display panel is a display panel of a portable computer.
15.    An image capturing module disposed in a display comprising a display panel and a first housing, the first housing having a first surface and a second surface opposite to the first surface, the display panel disposed on the first surface, the image capturing module comprising:
a second housing having an opening, which passes through the firsthousing; and
an image capturing unit, comprising:
a third housing;
a lens disposed on the third housing; and
a pivot protruding from a first side of the third housing and rotatably engaged with the second housing so that the third housing and the lens are rotated around the pivot as a rotationrotation axis and rotated relatively to the second housing.
16.    The image capturing module according to claim 15, wherein the second housing further comprises a chassis opposite to the first side of the third housing to receive the pivot.
17.    The image capturing module according to claim 15, wherein the second housing further comprises a fixing base, and the image capturing unit further comprises:
a sleeve mounted on a second side of the third housing, the sleeve and the pivot respectively positioned on the two sides of the third housing to be used as the rotationrotation axis;
a engaging piece, whose one end is engaged with the fixing base and another end is received in the sleeve;
a cam fixed in the sleeve and opposite to the engaging piece, wherein the cam is complementary to the engaging piece and used for being selectively engaged with the engaging piece; and
an elastomer disposed around the cam and positioned in the sleeve;
wherein when the third housing is rotated and the sleeve moves the cam to rotate around the rotationrotation axis to a first position, the cam is engaged with the engaging piece, and the lens is substantially coplanar with the first surface;
wherein when the third housing is rotated and the sleeve moves the cam to rotate and depart from the first position, the cam pushes the the engaging piece so as to compress the elastomer, the compressed elastomer provides an elastic force to urge the cam  to rotated towards a second position;
wherein when the third housing is rotated and the sleeve moves the cam to rotated around the rotationrotation axis to the second position, the cam is engaged with the engaging piece, and the lens is substantially coplanar with the second surface.
18.    The image capturing module according to claim 16, wherein the elastomer is a spring or an elastic piece.
19.    The image capturing module according to claim 15, wherein the second housing comprises an upper cover and a lower cover, the upper cover and the lower cover forms an accommodation space used for receiving the fixing base, the chassis, the pivot and the cam.
20.    The image capturing module according to claim 15, wherein the second housing protrudes from an edge of the first housing and is higher than the first surface.
21.    The image capturing module according to claim 15, wherein the display panel is a display panel of a portable computer.
1    Abstract
A display including a first housing, a display panel and an image capturing module is provided.  The first housing has a first surface and a second surface opposite to the first surface.  The display panel is disposed on the first surface.  The image capturing module includes a second housing and an image capturing unit. The second housing is mounted on the first housing.  The second housing has an opening, which passes through the first surface and the second surface.  The two ends of the image capturing unit are respectively pivotally connected to the innerwall of the opening so that the image capturing module is rotatably disposed on the display.
2    Representative Drawing
Fig. 2
【図１(Ａ)】
2006191637.tif 000015
【図１(Ｂ)】
2006191637.tif 000016
【図２】
2006191637.tif 000017
【図３(Ａ)】
2006191637.tif 000018
【図３(Ｂ)】
2006191637.tif 000019
【図３(Ｃ)】
2006191637.tif 000020
【図４】
2006191637.tif 000021
【図５(Ａ)】
2006191637.tif 000022
【図５(Ｂ)】
2006191637.tif 000023
【図６(Ａ)】
2006191637.tif 000024
【図６(Ｂ)】
2006191637.tif 000025
【図６(Ｃ)】
2006191637.tif 000026